(57)【要約】  本発明による方法は、トランスミッタ（４０）から一の端末（１０）を介して他の端末（２０）へマルチメディアメッセージを通信するために使用されることができる。この方法は、トランスミッタ（４０）からマルチメディアメッセージのアドレス情報を含む通知を受信する端末（１０）と、マルチメディアメッセージの少なくとも一部を受信することが可能な他の端末（２０）を検出する一の端末（１０）と、他の端末（２０）からトランスミッタ（４０）に又はその逆にアドレス情報を送信する一の端末（１０）と、アドレス情報に基づいてマルチメディアメッセージを受信する他の端末（２０）とを含む。このように、マルチメディアメッセージは、トランスミッタ（４０）から一の端末（１０）を介して他の端末（２０）へ迅速に安全に通信される。
2008507179.tif 000002
【特許請求の範囲】
【請求項１】
トランスミッタから一の端末を介して他の端末へマルチメディアメッセージを通信するための方法であって、
前記一の端末は、前記トランスミッタから前記マルチメディアメッセージの通知を受信し、
前記一の端末は、前記マルチメディアメッセージの少なくとも一部を受信することが可能な他の端末を検出し、
前記一の端末は、前記他の端末から前記トランスミッタに、又はその逆にアドレス情報を送信し、
前記他の端末は、前記アドレス情報に基づいて前記マルチメディアメッセージを受信することを含む方法。
【請求項２】
前記アドレス情報が、前記マルチメディアメッセージのアドレス情報を含み、
前記他の端末が、前記マルチメディアメッセージの前記アドレス情報によって示されるロケーションから、前記マルチメディアメッセージをダウンロードすることを含む、請求項１に記載の方法。
【請求項３】
前記アドレス情報が、前記他の端末のアドレス情報を含み、
前記一の端末が、前記マルチメディアメッセージを前記他の端末に転送することを含む、請求項１に記載の方法。
【請求項４】
前記一の端末が、その近傍にある前記他の端末を検出することを含む、請求項１乃至３の何れか一項に記載の方法。
【請求項５】
前記一の端末が、前記マルチメディアメッセージの少なくとも一部を受信することが可能な複数の他の端末を検出し、前記マルチメディアメッセージの少なくとも一部を受信する前記他の端末の１つを選択することを含む、請求項１乃至３の何れか一項に記載の方法。  
【請求項６】
トランスミッタから一の端末を介して他の端末へマルチメディアメッセージを通信するためのシステムであって、前記一の端末が、
前記トランスミッタから前記マルチメディアメッセージの通知を受信するための受信手段と、
前記マルチメディアメッセージの少なくとも一部を受信することが可能な他の端末を検出するための検出手段と、
前記他の端末から前記トランスミッタに、又はその逆にアドレス情報を送信するための送信手段とを有し、
前記他の端末が、前記アドレス情報に基づいて前記マルチメディアメッセージを受信するための受信手段を有するシステム。
【請求項７】
前記アドレス情報が、前記マルチメディアメッセージのアドレス情報を含み、
前記他の端末が、
前記一の端末から前記マルチメディアメッセージの前記アドレス情報を受信するための受信手段と、
前記マルチメディアメッセージの前記アドレス情報によって示されるロケーションから前記マルチメディアメッセージをダウンロードするように構成されるダウンロード手段とを有する、請求項６に記載のシステム。
【請求項８】
前記アドレス情報が、前記他の端末のアドレス情報を含み、
前記一の端末が、前記マルチメディアメッセージを前記他の端末に転送するための転送手段を有する、請求項６に記載のシステム。
【請求項９】
前記検出手段が、その近傍にある他の端末を検出するように構成される、請求項６乃至８の何れか一項に記載のシステム。
【請求項１０】
前記検出手段が、前記マルチメディアメッセージの少なくとも一部を受信することが可能な複数の他の端末を検出するように構成され、
前記一の端末が、前記マルチメディアメッセージの少なくとも一部を受信するように、前記他の端末の１つを選択するための選択手段を有する、請求項６乃至８の何れか一項に記載のシステム。
【請求項１１】
トランスミッタから他の端末へマルチメディアメッセージを通信するための端末であって、
前記トランスミッタから前記マルチメディアメッセージの通知を受信するための受信手段と、
前記マルチメディアメッセージの少なくとも一部を受信することが可能な他の端末を検出するための検出手段と、
前記他の端末から前記トランスミッタに、又はその逆にアドレス情報を送信するための送信手段とを有する端末。
【請求項１２】
トランスミッタから一の端末を介してマルチメディアメッセージを受信するための他の端末であって、
アドレス情報に基づいて前記マルチメディアメッセージを受信するための受信手段を有する他の端末。
【発明の詳細な説明】
【技術分野】
【０００１】
本発明は、トランスミッタから一の端末を介して他の端末へマルチメディアメッセージを通信するための方法であって、前記一の端末が、トランスミッタからマルチメディアメッセージの通知を受信することを含む方法に関する。
【０００２】
本発明は、更に、トランスミッタから一の端末を介して他の端末へマルチメディアメッセージを通信するためのシステムと、トランスミッタから他の端末へマルチメディアメッセージを通信するための一の端末と、一の端末を介してトランスミッタからマルチメディアメッセージを受信するための他の端末とに関する。
【背景技術】
【０００３】
トランスミッタから一の端末を介して他の端末へマルチメディアメッセージを通信するための冒頭の方法及びシステムは、「３ＧＰＰ  ＴＳ２３．１４０  Ｖ６．４．０（２００３年１２月），第３世代パートナーシッププロジェクト；技術仕様書グループ端末；マルチメディアメッセージサービス（ＭＭＳ）；機能上の説明；ステージ２（リリース６）」という題名の文献の３０〜５８ページから知られる。この文献は、ユーザが、フォーマット化されたテキスト、グラフィック、写真画像並びにオーディオ及びビデオクリップを有するマルチメディアメッセージを送信し受信することが可能になる規格を記述する。この知られた方法では、一の端末、例えば、携帯電話機が、マルチメディアメッセージの通知を受信し、このマルチメディアメッセージを他の端末、例えば、ＰＣにマルチメディアメッセージそのものを受信することなく転送する。マルチメディアメッセージを他の端末へ転送することを可能にするために、一の端末は、他の端末のアドレスを知る必要がある。
【０００４】
但し、他の端末のアドレスを、マルチメディアメッセージの通知を受信する一の端末が自動的に知ることはない。このアドレスは、ユーザによって手動で当該端末に入力されることはできるが、このやり方は比較的遅くエラーを生じがちな手順という点で面倒である。
【発明の開示】
【発明が解決しようとする課題】
【０００５】
本発明の目的は、トランスミッタから一の端末を介して他の端末へマルチメディアメッセージを通信するための冒頭に記載の方法であって、比較的迅速でフェイルセーフな方法を提供することにある。
【課題を解決するための手段】
【０００６】
この目的は、本発明によるマルチメディアメッセージを通信するための方法であって、一の端末が、マルチメディアメッセージの少なくとも一部を受信することが可能な他の端末を検出し、一の端末が、他の端末からトランスミッタに又はその逆にアドレス情報を送信し、他の端末が、アドレス情報に基づいてマルチメディアメッセージを受信することを含むことを特徴とする方法によって達成される。このように、一の端末は、他の端末の存在を検出することができ、他の端末のアドレスを自動的に得ることができる。代替例として、他の端末は、いったん一の端末によって検出されると、この一の端末からマルチメディアメッセージのアドレスを得ることができる。双方の場合において、マルチメディアメッセージは、このように得られたアドレスに基づいて他の端末によって自動的に受信されることができる。
【０００７】
本発明による方法の他の有利な効果は、ユーザがマルチメディアメッセージを他の端末に転送するか、又はマルチメディアメッセージのロケーションに関するアドレス情報を他の端末へ送信する場合に、他の端末が利用可能であることである。このことは、他の端末がスイッチオフされる場合にユーザがマルチメディアメッセージを受信することができないという状況を回避する。
【０００８】
本発明による方法の一実施形態は、アドレス情報が、マルチメディアメッセージのアドレス情報を含み、他の端末が、マルチメディアメッセージのアドレス情報によって示されるロケーションからマルチメディアメッセージをダウンロードすることを含むことを特徴とする。この方法によって、一の端末は他の端末を検出し、マルチメディアメッセージのアドレス情報を他の端末へ送信する。その後、他の端末は、マルチメディアメッセージのアドレス情報からマルチメディアメッセージをダウンロードすることによって、マルチメディアメッセージを受信することができる。
【０００９】
本発明による方法の他の実施形態は、アドレス情報が、他の端末のアドレス情報を含み、一の端末が、マルチメディアメッセージを他の端末に転送することを含むことを特徴とする。この方法によって、一の端末は他の端末を検出し、他の端末のアドレスを得る。一の端末が、他の端末の検出されたアドレス情報をトランスミッタに送信するので、一の端末は、マルチメディアメッセージを他の端末に転送することができる。
【００１０】
適切な他の端末を好都合に選択するために、一の端末は、その近傍にある他の端末の存在を検出することができる。例えば、一の端末は、ブルートゥース、ワイヤレスＬＡＮ又は赤外線インタフェースによって、他の端末を検出する。
【００１１】
本発明による方法の他の実施形態は、一の端末が、マルチメディアメッセージの少なくとも一部を受信することが可能な複数の他の端末を検出し、マルチメディアメッセージの少なくとも一部を受信する他の端末の１つを選択することを含むことを特徴とする。ユーザは、マルチメディアメッセージを受信するためにユーザに対して最も近くにある他の端末の１つを選択することができる。ユーザは、マルチメディアメッセージの一部を受信するためにある他の端末を選択し、マルチメディアメッセージの残余部を受信するために別の他の端末を選択することもできる。このことは、ユーザがマルチメディアメッセージを受信するために他の端末を選択する場合のユーザの快適さにつながる。
【００１２】
本発明の上記の目的及び特徴は、図面を参照することによる好ましい実施形態の以下の説明からより明らかとなる。
【００１３】
各図面を通して、同じ参照符号は、同様の又は一致する特徴又は機能を示す。
【発明を実施するための最良の形態】
【００１４】
図１は、トランスミッタから一の端末を介して他の端末へマルチメディアメッセージを通信するための方法の第１の実施形態のフローチャートを示す。この実施形態では、携帯電話機、即ち、一の端末が、マルチメディアメッセージの通知をサーバ、即ち、トランスミッタから受信する（ステップ１１０）。この通知は、サーバからマルチメディアメッセージを受信するために使用されることができるマルチメディアメッセージのロケーションアドレスを含む。好ましくは、この通知において伝達されるロケーションアドレスは、マルチメディアメッセージの受信が成功するまで、又はマルチメディアメッセージが拒否されるまで、メッセージ有効期間中は少なくともずっと有効である。
【００１５】
携帯電話機は、その近傍において、例えば、自宅で又はオフィスにおいて、ＰＣの存在、即ち、マルチメディアメッセージの少なくとも一部を受信することができる他の端末の存在を検出する（ステップ１２０）。今日では、例えば、ノキア６８２０、ソニーエリクソンＰ９００などのブルートゥースインタフェースをもつ携帯電話機が、ますます普及している。ブルートゥース無線技術は、汎用ブリッジを既存のデータネットワーク、周辺インタフェース及びメカニズムに供給して、固定ネットワークインフラストラクチャから離れて接続された装置の小さい個人的なアドホックグループ化を形成する。ノイズが多い無線周波数環境において動作するように設計されるので、ブルートゥース無線は、高速な受信通知及び周波数ホッピングスキームを使用して、リンクをロバストにする。ブルートゥースインタフェースをもつ携帯電話機は、同じくブルートゥースインタフェースを備えるＰＣを検出し、ネットワーク接続を確立することができる。
【００１６】
次に、携帯電話機は、マルチメディアメッセージのアドレス情報をＰＣに送信し（ステップ１３０）、そのため、ＰＣは、携帯電話機の代わりにマルチメディアメッセージを検索することができる（ステップ１４０）。  
【００１７】
このＰＣは、「３ＧＰＰ  ＴＳ２３．１４０  Ｖ６．４．０（２００３年１２月），第３世代パートナーシッププロジェクト；技術仕様書グループ端末；マルチメディアメッセージサービス（ＭＭＳ）；機能上の説明；ステージ２（リリース６）」の文献に記載されたように、下記のとおり、ロケーションアドレスからマルチメディアメッセージをダウンロードすることによって、当該マルチメディアメッセージを検索することができる。（１）ＰＣがマルチメディアメッセージ検索リクエスト（MM1_retrieve.REQ）をサーバに送信する。（２）サーバがマルチメディアメッセージ検索応答（MM1_retrieve.RES）をＰＣに方向づける。（３）ＰＣが通知に示されたマルチメディアメッセージのロケーションアドレスからマルチメディアメッセージをダウンロードする。ダウンロードが完了した後、ＰＣは、検索受信通知をサーバ及び携帯電話機に送信してもよい。携帯電話機のユーザは、マルチメディアメッセージがＰＣ上にあることを認識することができる。その後、ユーザは、好みに応じてマルチメディアメッセージのコンテントを経験することができる。
【００１８】
図２は、トランスミッタから一の端末を介して他の端末へマルチメディアメッセージを通信するための方法の第２の実施形態のフローチャートを示す。この実施形態では、ブルートゥースインタフェースをもつ携帯電話機、即ち、一の端末が、サーバ、即ち、トランスミッタからマルチメディアメッセージの通知を受信し（ステップ２１０）、その近傍におけるＰＣの存在、しかも、これもまたブルートゥースインタフェースをもつＰＣの存在、即ち、マルチメディアメッセージの少なくとも一部を受信することができる他の端末の存在を検出する（ステップ２２０）。次に、ブルートゥースを介して携帯電話機とＰＣとの間に通信リンクがセットアップされ、これにより、携帯電話機がＰＣのアドレスを自動的に得ることを可能にする。次に、携帯電話機は、ＰＣのアドレスをサーバに送信する（ステップ２３０）。最後に、携帯電話機は、「３ＧＰＰ  ＴＳ２３．１４０  Ｖ６．４．０（２００３年１２月），第３世代パートナーシッププロジェクト；技術仕様書グループ端末；マルチメディアメッセージサービス（ＭＭＳ）；機能上の説明；ステージ２（リリース６）」の文献に記載されたように、下記のとおり、マルチメディアメッセージをＰＣに転送する（ステップ２４０）。（１）携帯電話機は、マルチメディアメッセージ制御情報を含むマルチメディアメッセージ転送リクエスト（MM1_forward.REQ）をサーバに発行する。（２）サーバは、このリクエストのステータスを供給するマルチメディアメッセージ転送応答（MM1_forward.RES）に応答する。マルチメディアメッセージ転送リクエストは、明らかに、対応するマルチメディアメッセージ転送応答を参照している。その後、ＰＣは、マルチメディアメッセージ転送応答によってマルチメディアメッセージを受信する。  
【００１９】
図３は、本発明によるシステム５０の一実施形態の図を示す。このシステム５０は、トランスミッタ４０から一の端末１０を介して他の端末２０へマルチメディアメッセージを通信するように構成される。
【００２０】
この実施形態において、トランスミッタ４０は、ネットワーク３０から受け取られる着信メッセージ及びネットワーク３０に送出される発信メッセージの記憶及び取り扱いと、異なるメッセージシステムの間におけるメッセージの移動との役割を果たすサーバ／リレー４０によって形成される。ネットワーク３０は、例えば、第２世代携帯電話機ネットワーク（2G mobile phone network）、第３世代携帯電話機ネットワーク又はインターネットであり得る。
【００２１】
一の端末１０は、トランスミッタ４０からマルチメディアメッセージの通知を受信するための受信手段１０１と、マルチメディアメッセージの少なくとも一部を受信することが可能な他の端末２０を検出するための検出手段１０４と、他の端末２０からトランスミッタ４０にアドレス情報を送信するか、又はトランスミッタ４０から他の端末２０にアドレス情報を送信するための送信手段１０２とを有する。他の端末２０は、アドレス情報に基づいてマルチメディアメッセージを受信するための受信手段２０２を有する。
【００２２】
アドレス情報は、マルチメディアメッセージのアドレス情報を含んでもよい。他の端末２０における受信手段２０２は、マルチメディアメッセージのアドレス情報によって示されるロケーションからマルチメディアメッセージをダウンロードするように構成されることができる。
【００２３】
アドレス情報は、他の端末２０のアドレス情報を含んでもよい。一の端末１０は、マルチメディアメッセージを他の端末２０に転送するための転送手段１０３を有する。
【００２４】
ユーザの便宜のために、一の端末１０における検出手段１０４は、その近傍にある他の端末を検出するように構成されることができる。
【００２５】
一の端末１０における検出手段１０４は、マルチメディアメッセージの少なくとも一部を受信することが可能な複数の他の端末２０を検出するように構成されることもできる。一の端末１０は、好ましくは、マルチメディアメッセージの少なくとも一部を受信するために、他の端末２０の１つを選択するための選択手段１０５を有する。ユーザは、マルチメディアメッセージを受信するのに最も近くにある他の端末２０を選択することができる。ユーザは、マルチメディアメッセージを受信する速度及び安定性、ディスプレイの画面などのようなマルチメディアメッセージを経験するのに最良のパフォーマンスをもつ１つの他の端末２０を選択することもできる。
【００２６】
本発明の範囲は、明示的に開示される実施形態に限定されるものではない。本発明は、各々の新しい特性及び特徴の組み合わせごとに具現化される。いかなる参照符号も、請求項の範囲を制限するものではない。「有する（comprising）」という動詞は、請求項に記載されるもの以外の他の構成要素又はステップの存在を除外するものではない。ある構成要素に先行する冠詞「a」又は「an」の使用は、このような構成要素が複数存在することを除外するものではない。
【図面の簡単な説明】
【００２７】
【図１】本発明によるトランスミッタから一の端末を介して他の端末へマルチメディアメッセージを通信するための方法の第１の実施形態のフローチャートである。
【図２】本発明によるトランスミッタから一の端末を介して他の端末へマルチメディアメッセージを通信するための方法の第２の実施形態のフローチャートである。
【図３】本発明によるトランスミッタから一の端末を介して他の端末へマルチメディアメッセージを通信するためのシステムの一実施形態を示す図である。
【図１】
2008507179.tif 000003
【図２】
2008507179.tif 000004
【図３】
2008507179.tif 000005
【国際調査報告】
2008507179.tif 000006
2008507179.tif 000007
2008507179.tif 000008